(57)【要約】      （修正有）【課題】曇りの検出／予測、及び、航空機のようなビークルに搭載された自動起動防曇システムを提供する。【解決手段】ビークルの動作中にリアルタイムで実施されるいくつかの操作を含む、方法が提供される。方法は、プロセスに従い、一又は複数のセンサ１２０を使用して、窓１２４の内側表面上の曇りを検出すること、及び、プロセスに従って曇りが検出された場合、窓の内側表面上の曇りを低減又は防止するために、防曇システム１３２を自動的に起動することを、含みうる。センサの各々に関して、プロセスは、センサから測定値を受信することを含みうる。プロセスは、測定値から、ビークルの外部に面した窓を含むビークルのコンパートメント１０２内の露点温度を特定又は計算すること、及び、露点温度が窓の内側表面の表面温度に近いか、同じか、又はそれを上回る場合、窓の内側表面上の曇りを検出することを、含みうる。【選択図】図１Ａ
2016113148.tif 000002
【特許請求の範囲】
【請求項１】
ビークルのコンパートメントの窓の内側表面上の曇りを検出又は予測するための装置であって、
プロセッサ（４０２）と、
前記プロセッサ（４０２）に結合された少なくとも１つの第１センサ（１２０ａ）と、
防曇システム（１３２）と、
前記プロセッサ（４０２）に結合され、かつ、コンピュータ可読プログラムコード（４０６）を記憶しているコンピュータ可読記憶媒体（４０４）とを備え、前記コンピュータ可読プログラムコード（４０６）は、前記プロセッサ（４０２）による実行に応答して、前記ビークルの動作中にリアルタイムで、前記装置に、
前記第１センサ（１２０ａ）から少なくとも１つの測定値を受信させ、かつ、前記測定値から、前記窓（１２４、１２６）を含む前記ビークルの前記コンパートメント（１０２）内の露点温度を特定又は計算させ、
前記窓（１２４、１２６）の前記内側表面の少なくとも一部分の表面温度を計算させ、
前記露点温度が前記窓（１２４、１２６）の前記内側表面の前記表面温度と同じか、それに近いか、又はそれを上回る場合には、前記窓（１２４、１２６）の前記内側表面上の曇りを検出又は予測させ、
曇りが検出又は予測された場合には、前記窓（１２４、１２６）の前記内側表面の前記部分上の曇りを低減又は防止するために、前記防曇システムを自動的に起動させる、装置。
【請求項２】
前記一又は複数の第１センサ（１２０ａ）は、温度センサ及び相対湿度センサを含み、
前記装置に前記第１センサ（１２０ａ）から少なくとも１つの測定値を受信させることは、前記装置に、前記温度センサから前記コンパートメント（１０２）内の周囲温度を受信させ、かつ、相対湿度センサから前記コンパートメント（１０２）内の相対湿度を受信させることを含み、
前記装置に前記露点温度を特定又は計算させることは、前記装置に、前記コンパートメント（１０２）の中の前記周囲温度及び前記相対湿度の関数として前記露点温度を計算させることを含み、
前記装置に前記表面温度を計算させることは、前記装置に、前記ビークルの外部の全大気温度及び前記ビークルのスピードの関数として前記表面温度を計算させることを含む、請求項１に記載の装置。
【請求項３】
前記装置は少なくとも２つの第１センサ（１２０ａ）を備え、
前記装置に前記第１センサ（１２０ａ）から少なくとも１つの測定値を受信させることは、前記装置に、前記第１センサ（１２０ａ）の各々から少なくとも１つの測定値を受信させることを含み、
前記装置に前記防曇システム（１３２）を自動的に起動させることは、前記一又は複数の第１センサ（１２０ａ）の過半数からの測定値により曇りが検出又は予測された場合にのみ、前記装置に前記防曇システム（１３２）を自動的に起動させることを含む、請求項１又は２に記載の装置。
【請求項４】
前記コンピュータ可読プログラムコード（４０６）は更に、前記装置に、
一又は複数の第２センサ（１２０ｂ）から、前記窓（１２４、１２６）の前記内側表面に反射した光ビームの強度の測定値である、少なくとも１つの測定値を受信させ、かつ、
前記強度が既定の閾値を下回る場合には、前記窓（１２４、１２６）の前記内側表面上の曇りを検出させ、
前記装置に前記防曇システム（１３２）を自動的に起動させることは、前記一又は複数の第１センサ（１２０ａ）の測定値、又は、前記一又は複数の第２センサ（１２０ｂ）の測定値により曇りが検出又は予測された場合には、前記装置に前記防曇システム（１３２）を自動的に起動させることを含む、請求項１から３のいずれか一項に記載の装置。
【請求項５】
前記装置に前記防曇システム（１３２）を自動的に起動させることは、前記一又は複数の第１センサ（１２０ａ）と前記一又は複数の第２センサ（１２０ｂ）との集合の過半数からの測定値により曇りが検出された場合にのみ、前記装置に前記防曇システム（１３２）を自動的に起動させることを含む、請求項４に記載の装置。
【請求項６】
ビークルのコンパートメントの窓の内側表面上の曇りを検出又は予測する方法であって、
第１結果を取得するために、少なくとも１つの第１センサ（１２０ａ）から測定値を受信することと、
前記第１結果から、前記窓（１２４、１２６）の前記内側表面を含む前記ビークルの前記コンパートメント（１０２）内の露点温度を特定又は計算することと、
前記窓（１２４、１２６）の前記内側表面の少なくとも一部分の表面温度を計算することと、
前記露点温度が前記表面温度と同じか、それに近いか、又はそれを上回る場合には、前記第１結果から前記窓（１２４、１２６）の前記内側表面上の曇りを検出又は予測することと、
曇りが検出又は予測された場合、前記窓（１２４、１２６）の前記内側表面の前記部分上の曇りを低減又は防止するために、防曇システム（１３２）を自動的に起動することとを含む、方法。
【請求項７】
少なくとも１つの第１センサ（１２０ａ）から測定値を受信することは、前記第１結果を取得するために、少なくとも２つのセンサ（１２０）から測定値を受信することを含み、前記センサ（１２０）は、温度センサ及び相対湿度センサを含み、
前記測定値を受信することは、前記温度センサ（１２８）から前記コンパートメント（１０２）内の周囲温度の測定値を受信すること、及び、前記相対湿度センサから前記コンパートメント（１０２）内の相対湿度の測定値を受信することを含み、前記第１結果は、前記周囲温度と前記相対湿度との組み合わせであり、
前記露点温度を特定又は計算することは、前記コンパートメント（１０２）の中の前記周囲温度及び前記相対湿度の関数として、前記第１結果に基づいて前記露点温度を計算することを含み、
前記表面温度を計算することは、前記ビークルの外部の全大気温度及び前記ビークルのスピードの関数としての、前記表面温度の計算を含む、請求項６に記載の方法。
【請求項８】
第１結果を取得するために、少なくとも１つのセンサ（１２０）から測定値を受信することは、少なくとも２つのセンサ（１２０）から測定値を受信することを含み、
前記防曇システム（１３２）を自動的に起動することは、前記第１結果を取得するために使用される前記センサ（１２０）の過半数からの測定値により曇りが検出又は予測された場合にのみ、前記防曇システム（１３２）を自動的に起動することを含む、請求項６又は７に記載の方法。
【請求項９】
更に、
前記窓（１２４、１２６）の前記内側表面に反射した光ビームの強度を含む第２結果を取得するために、少なくとも１つの第２センサ（１２０ｂ）から測定値を受信することと、
前記強度が既定の閾値を下回る場合には、前記第２結果から、前記窓（１２４、１２６）の前記内側表面上の曇りを検出又は予測することとを含み、
前記防曇システム（１３２）を自動的に起動することは、前記第１結果又は前記第２結果により曇りが検出又は予測された場合には、前記防曇システム（１３２）を自動的に起動することを含む、請求項６から８のいずれか一項に記載の方法。
【請求項１０】
前記防曇システム（１３２）を自動的に起動することは、前記一又は複数の第１センサ（１２０ａ）と前記一又は複数の第２センサ（１２０ｂ）との集合の過半数から取得された結果からの測定値により曇りが検出又は予測された場合にのみ、前記防曇システム（１３２）を自動的に起動することを含む、請求項９に記載の方法。
【請求項１１】
ビークルのコンパートメント（１０２）の窓（１２４、１２６）上の曇りを検出するためのコンピュータ可読記憶媒体（４０４）であって、前記コンピュータ可読記憶媒体（４０４）は、非一過性であり、かつ、コンピュータ可読プログラムコード（４０６）を記憶しており、前記コンピュータ可読プログラムコード（４０６）は、プロセッサ（４０２）による実行に応答して、前記ビークルの動作中にリアルタイムで、装置に、
一又は複数の第１センサ（１２０ａ）から少なくとも１つの測定値を受信させ、かつ、前記測定値から、前記窓（１２４、１２６）を含む前記ビークルの前記コンパートメント（１０２）内の露点温度を特定又は計算させ、
前記窓（１２４、１２６）の内側表面の少なくとも一部分の表面温度を計算させ、
前記露点温度が前記窓（１２４、１２６）の前記内側表面の前記表面温度と同じか、それに近いか、又はそれを上回る場合には、前記窓（１２４、１２６）の前記内側表面上の曇りを検出又は予測させ、
曇りが検出又は予測された場合には、前記窓（１２４、１２６）の前記内側表面の前記部分上の曇りを低減又は防止するために、防曇システム（１３２）を自動的に起動させる、コンピュータ可読記憶媒体。
【請求項１２】
前記一又は複数の第１センサ（１２０ａ）は、温度センサ及び相対湿度センサを含み、
前記装置に少なくとも１つの測定値を受信させることは、前記装置に、前記温度センサから前記コンパートメント（１０２）内の周囲温度を受信させ、かつ、前記相対湿度センサから前記コンパートメント（１０２）内の相対湿度を受信させることを含み、
前記装置に前記露点温度を特定又は計算させることは、前記装置に、前記コンパートメントの中の前記周囲温度及び前記相対湿度の関数として前記露点温度を計算させることを含み、
前記装置に前記表面温度を計算させることは、前記装置に、前記ビークルの外部の全大気温度及び前記ビークルのスピードの関数として前記表面温度を計算させることを含む、請求項１１に記載のコンピュータ可読記憶媒体。
【請求項１３】
前記装置に一又は複数の第１センサ（１０２ａ）から少なくとも１つの測定値を受信させることは、前記装置に、少なくとも２つの第１センサ（１２０ａ）から少なくとも１つの測定値を受信させることを含み、
前記装置に前記防曇システム（１３２）を自動的に起動させることは、前記第１センサ（１２０ａ）の過半数からの測定値により曇りが検出又は予測された場合にのみ、前記装置に前記防曇システム（１３２）を自動的に起動させることを含む、請求項１１又は１２に記載のコンピュータ可読記憶媒体。
【請求項１４】
前記装置は更に、
一又は複数の第２センサ（１２０ｂ）であって、前記第２センサ（１２０ｂ）のうちの少なくとも１つは前記窓（１２４、１２６）の前記内側表面に反射した光ビームの強度を測定するよう動作可能である一又は複数の第２センサ（１２０ｂ）から、少なくとも１つの測定値を受信し、かつ、
前記強度が既定の閾値を下回る場合には、前記窓（１２４、１２６）の前記内側表面上の曇りを検出するようにされ、
前記装置に前記防曇システム（１３２）を自動的に起動させることは、前記一又は複数の第１センサ（１１２ａ）の測定値、又は、前記一又は複数の第２センサ（１１２ｂ）の測定値により曇りが予測又は検出された場合には、前記装置に前記防曇システム（１３２）を自動的に起動させることを含む、請求項１１から１３のいずれか一項に記載のコンピュータ可読記憶媒体。
【請求項１５】
前記装置に前記防曇システム（１３２）を自動的に起動させることは、前記一又は複数の第１センサ（１２０ａ）と前記一又は複数の第２センサとの集合の過半数からの測定値により曇りが予測又は検出された場合には、前記装置に前記防曇システム（１３２）を自動的に起動させることを含む、請求項１４に記載のコンピュータ可読記憶媒体。
【発明の詳細な説明】
【技術分野】
【０００１】
本開示は概して、曇りの検出／予測に関し、具体的には、曇りの検出／予測、及び、航空機のようなビークルに搭載された防曇システムの自動起動に関する。
【背景技術】
【０００２】
気圧調整された航空機の歴史を通じて、コックピットの窓上での曇りの集積は、航空機操縦者の飛行に対する課題を提示してきた。フロントガラス又は側窓の曇りが飛行経路の明瞭な視界を妨害しうることを踏まえれば、フロントガラス及び／又は側窓の曇りの原因となる周囲の湿度条件のリアルタイムでの検出は、特に進入及び着陸の飛行フェーズにおいて正常な飛行操作を確保するために必要な、重要なコックピット入力である。
【０００３】
航空宇宙業界においては、航空機のいかなるウィンドウヒートシステムも、両パイロットが典型的な飛行経路の明瞭な視界を有する程度に、コックピットのフロントガラス及び側窓の内側表面の少なくとも一部分が曇りのない状態に保たれることを確実にする、曇り止め能力を提供しなくてはならないと、認証規則が義務付けている。この指示を実現するために、設置されているいかなる曇り止めシステムも、コックピットの周囲露点温度がどのようなものであっても、窓を曇りのない状態に維持することが可能でなければならない。
【０００４】
伝統的に、航空機の大多数は、リアルタイムの自動窓曇り検出／予測システムを設置しておらず、むしろ、運航乗員によるフロントガラス又は側窓の曇りの身体的な識別、及び、それに後続する防曇システムの手動起動に依拠している。代替的には、一部の航空機は、定められた飛行の過程でフロントガラス表面上に曇りの形成が起こってしまうことを防止するために、電動又は空圧式の曇り止めシステムを装備している。しかし、これらの曇り止めシステムは、典型的には、飛行中ずっと操作され、従って、曇り集積状態が存在していない時にシステムが操作されていることが多いために、過剰なエネルギー及び燃料燃焼が必要になる。
【０００５】
従って、上述の問題の少なくとも一部、並びに、起こりうる他の問題を勘案するシステム及び方法を有することが望ましいかもしれない。
【発明の概要】
【０００６】
本開示の例示的な実行形態は概して、周囲の湿度条件による、輸送区分の民間航空機のようなビークルの一又は複数の窓上の曇りの、リアルタイム又はほぼリアルタイムでの検出又は予測のための、改良型の装置、方法及びコンピュータ可読記憶媒体を対象とする。例示的な実行形態は次いで、曇りの集積を低減又は防止するために、一又は複数の防曇システムを自動的に起動しうる。例示的な実行形態は、作業者の作業負荷を低減し、かつ／又は、周囲の湿度条件により曇り状態にあるか、またはそれに近い時にのみ防曇システムを起動することによって、エネルギー使用を最適化しうる。
【０００７】
例示的な実行形態の一態様によれば、方法は、ビークルの動作中にリアルタイムで実施されるいくつかの操作を含む。つまり、方法は、一又は複数のプロセスに従い、一又は複数のセンサを使用して、窓の内側表面上の曇りを検出すること又は予測することを含みうる。また方法は、一又は複数のプロセスに従って曇りが検出又は予測された場合、或いは、いくつかの例では、プロセス（複数可）において使用されるセンサ（複数可）の過半数からの測定値により曇りが検出又は予測された場合にのみ、窓の内側表面上の曇りを低減又は防止するために、防曇システムを自動的に起動することを含みうる。
【０００８】
センサの各々に関して、プロセスは、センサからの測定値を受信することを含みうる。測定値に関して、プロセスは、ビークルの外部に面した窓を含むビークルのコンパートメント内の露点温度を特定又は計算することと、露点温度が窓の内側表面の表面温度に近いか、同じか、又はそれを上回る場合、窓の内側表面上の曇りを検出又は予測することとを含みうる。いくつかの例では、プロセスは更に、ビークルの外部の全大気温度、及びビークルのスピードの関数として、窓の内側表面の表面温度を計算することを含みうる。
【０００９】
いくつかの例では、センサは温度センサを含んでよく、センサから測定値を受信することは、温度センサから、コンパートメント内の周囲温度の測定値を受信することを含む。これらの例では、プロセスは更に、相対湿度センサから、コンパートメント内の相対湿度の測定値を受信することを含みうる。露点温度は次いで、コンパートメントの中の周囲温度及び相対湿度の関数として計算されうる。
【００１０】
いくつかの例では、プロセスは第１プロセスであってよく、センサ（複数可）は第１センサ（複数可）でありうるか、又は第１センサ（複数可）を含みうる。代替的には、第１プロセスを実施することは、第１結果を取得するために、第１センサからの測定値を受信及び／又は処理することであると、特徴付けられうる。第１結果は次いで、露点温度のようなあるデータを特定及び／又は計算するために、及び、曇りの存在を検出又は予測するために、使用されうる。これらの例では、方法は更に、第２プロセスに従い、一又は複数の第２センサを使用して、窓の内側表面上の曇りを検出することを含みうる。第１プロセスを実施することについての前述の特徴付けと同様に、第２プロセスを実施することは、第２結果を取得するために、第２センサからの測定値を受信及び／又は処理することであると、特徴付けられうる。第２結果は次いで、窓の内側表面に反射した光ビームの強度のようなあるデータを特定及び／又は計算するために、使用されうる。第２結果は次いで、曇りの存在を検出又は予測するために使用されうる。第２センサの各々に関して、このプロセスは、第２センサから、窓の内側表面に反射した光ビームの強度の測定値である測定値を受信することを含みうる。またプロセスは次いで、測定値から、強度が、光ビームレシーバからの定量化可能なオブスキュレーションレベルによって規定されることが可能な既定の閾値を下回る場合、窓の内側表面上の曇りを検出することを含みうる。このオブスキュレーションレベルは更に、システムコントローラの中のソフトウェアによって規定又は記憶されることが可能であり、曇り状態の標示としての、ベースライン（オブスキュレーションがない）強度の９０％などであるが、それだけに限定されるわけではない。
【００１１】
防曇システムは、第１プロセス又は第２プロセスに従って曇りが検出又は予測された場合、自動的に起動されうる。或いは、いくつかの更なる例では、防曇システムは、第１センサ（複数可）と第２センサ（複数可）との集合の過半数からの測定値により、曇りが検出又は予測された場合にのみ、自動的に起動されうる。
【００１２】
例示的な実行形態の他の態様では、ビークルの窓上の飛行中の曇りを検出又は予測するための、装置及びコンピュータ可読記憶媒体が提供される。本書で記述されている特徴、機能及び利点は、様々な例示的実行形態において個別に実現されうるか、又は、更なる詳細が以下の説明及び図面を参照して理解されうる、また別の例示的実行形態において組み合わされうる。
【００１３】
上記では本開示の例示的な実行形態を一般的な用語で説明したが、これより添付図面を参照する。これらの図面は必ずしも正確な縮尺で描かれているわけではない。
【図面の簡単な説明】
【００１４】
【図１Ａ】本開示の例示的な実行形態による曇り検出／予測システムを装備している航空機を示す。
【図１Ｂ】本開示の例示的な実行形態による曇り検出／予測システムを装備している航空機のコックピットを示す。
【図２】例示的な実行形態による湿度線図を示す。
【図３】例示的な一実行形態による、方法における様々な操作を含むフロー図を示す。
【図４】いくつかの例により、例示的な実行形態によるプロセッサユニットを少なくとも部分的に実装するよう構成されうる、装置を示す。  この開示で示す各図は、提示されている実施形態の態様の一変種を示しており、以下では相違のみを詳細に記述する。
【発明を実施するための形態】
【００１５】
本開示のいくつかの実行形態を、添付図面を参照して、以下でより網羅的に説明するが、添付図面には、本開示の実行形態の全てではなく一部しか示されていない。実際のところ、本開示の様々な実行形態は、多くの異なる形式で具現化することが可能であり、本書に明記されている実行形態に限定されると解釈すべきではない。むしろ、本開示が包括的かつ完全なものになるように、かつ、当業者に本開示の範囲を十分に伝えるように、これらの例示的な実行形態が提供されている。また、何かが第１、第２、第３などのものであると示されるか、又は説明されることがあるが、別途明記されない限り、それが特定の順番を暗示していると受け取るべきではない。更に、本書では、時間、距離、スピード、割合などといった、いくつかの測定値、既定の閾値等が参照されることがあり、それらに従って例示的な実行形態の態様が作用しうるが、別途明記されない限り、測定値／既定の閾値のいずれか又は全てが設定可能でありうる。全体を通して、類似の参照番号は類似の要素を表している。
【００１６】
本開示の例示的な実行形態は概して、ビークルの一又は複数の窓上の曇りの、リアルタイム又はほぼリアルタイムでの検出又は測定を対象とする。例示的な実行形態は、主に、輸送区分の民間航空機のようなビークルに関連して説明される。しかし、例示的な実行形態は、汎用航空機（例えば飛行機、ヘリコプタ）、自動車、列車、船艇（例えばボート、船舶）等のような、いくつかの他のビークルのうちの任意のものに等しく適用可能でありうることを、理解すべきである。
【００１７】
図１Ａ及び図１Ｂは、航空機１００及びそのコックピット１０２（時に操縦室と、またより一般的にはコンパートメントと称される）をそれぞれ示しており、航空機は、本開示の例示的な実行形態による曇り検出／予測システム１０４を装備している。図示しているように、航空機は双発の民間航空機である。しかし、固定翼航空機及び回転翼航空機、民間航空機及び軍用航空機などを含む他の種類の航空機も、例示的な実行形態のシステムを等しく装備しうることを、理解すべきである。
【００１８】
航空機１００は、コックピット１０２に加えて、一対の翼１０８が取り付けられる胴体１０６を含む。航空機は、翼に取り付けられた一対のエンジン１１０を含む。胴体は、航空機の前方部分にノーズ部１１２を、航空機の後方部分に尾部１１４を有する。垂直安定板１１６及び一対の水平安定板１１８が、胴体の尾部に取り付けられる。
【００１９】
曇り検出／予測システム１０４は概して、航空機１００の一又は複数の窓上の曇りを検出するよう構成されうる。曇り検出／予測システムは、プロセッサユニット１２２に結合された、航空機の一又は複数の窓に近接した場所の一又は複数のセンサ１２０のような、いくつかの構成要素の各々のうちの一又は複数を含む。これらの窓は、例えば、コックピット内の一又は複数のフロントガラスウィンドウ１２４、側窓１２６などのような、コックピット１０２内の一又は複数の窓を含みうるが、航空機全体の他のいくつかの窓のうちの任意のものも、例示的な実行形態から等しく恩恵を受けうる。センサ１２０に加えて、航空機の表面１３０上の一場所の温度センサ１２８も描写されている。
【００２０】
センサ１２０は、窓（複数可）の内側表面上の曇りを示しうる、窓（複数可）１２４、１２６の内側表面上の状態、又は、コックピット１０２の中のような窓（複数可）の内部環境における状態を、検出するか、予測するか、そうでなければ測定するよう構成された、いくつかの異なる種類のセンサのうちの任意のものでありうる。下記でより詳細に解説するように、好適なセンサの例は、露点センサ、温度センサ、相対湿度センサなどのような第１センサ１２０ａを含み、かかるセンサは、いくつかの例では、コックピットの天井の近くに配置されうる。好適なセンサの他の例は、発光器／光検出器の一又は複数の対のような第２センサ１２０ｂを含み、かかるセンサは、いくつかの例では、窓（複数可）に隣接して配置されうる。発光器／光検出器の対を含む例では、その対は、窓の内側表面と発光器が発した入射光ビームとの間に形成される角度が、光ビームの臨界角よりも確実に大きくなるように配置されてよく、それにより、発された光ビームの内部全反射が確実になりうる。
【００２１】
例示的な実行形態により、プロセッサユニット１２２は、航空機１００の飛行（又はより一般的には、ビークルの動作或いは輸送動作）中にリアルタイムで（本書では概して、リアルタイムはほぼリアルタイムを含む）、一又は複数のセンサ１２０を使用して窓１２４、１２６の内側表面上の曇りを検出又は予測し、かつそれに応答して、一又は複数の措置を実施するよう、構成されうる。センサの各々に関して、プロセッサユニットは、センサからの測定値を受信しうる。測定値に関して、プロセッサユニットは、航空機１００の外部に面した窓を含む航空機１００（ビークル）のコックピット１０２（コンパートメント）内の、露点温度を特定又は計算しうる。プロセッサユニットは次いで、露点温度が窓の内側表面の表面温度に近いか、同じか、又はそれを上回る場合、窓の内側表面上の曇りを検出又は予測しうる。表面温度に「近いか、同じ」とは、本書で言及する場合には、５°Ｆ（〜３°Ｃ）未満しか露点温度を上回らない表面温度を示すことが可能であり、例えば、次の式を満たしうる。
ＤＰＴ＋５°Ｆ≧ＳＴ＞ＤＰＴ
ここで、ＤＰＴは露点温度であり、ＳＴは表面温度である。
【００２２】
いくつかの例では、センサ１２０は露点センサであってよく、プロセッサユニット１２２はかかる露点センサから、コックピット１０２内の露点温度の測定値を受信しうる。いくつかの例では、センサは温度センサであってよく、プロセッサユニット１２２はかかる温度センサから、コックピット内の周囲温度の測定値を受信しうる。いくつかの例では、センサは相対湿度センサも含んでよく、プロセッサユニットはかかる相対湿度センサから、コックピット内の相対湿度の測定値を更に受信しうる。プロセッサユニットは次いで、コックピットの中の周囲温度及び相対湿度の関数として、露点温度を計算しうる。一例においては、露点温度は、例えば、図２に示すような湿度線図による値のデータベース又は表から、周囲温度と、相対湿度と、露点温度との間の既知の関連に基づいて、計算されうる。
【００２３】
いくつかの例では、プロセッサユニット１２２は、航空機１００の外部の全大気温度、及び航空機のスピードといった一又は複数の航空機飛行パラメータの関数として、窓１２４、１２６の内側表面の表面温度を計算しうる。いくつかの例では、プロセッサユニットは、これらの航空機飛行パラメータのうちの一又は複数のために、航空機のデータバスをモニタしうる。別の例では、全大気温度は温度センサ１２８から取得されうる。
【００２４】
いくつかの例では、プロセッサユニット１２２が曇りを検出又は予測する前述のプロセスは第１プロセスであってよく、センサ１２０（例えば露点センサ、温度センサ、相対湿度センサ）は、第１センサ１２０ａを含みうる。これらの例では、プロセッサユニットは更に、第２プロセスに従い、一又は複数の第２センサ１２０ｂを使用して、窓１２４、１２６の内側表面上の曇りを検出又は予測しうる。第２センサの各々に関して、プロセッサユニットスは、第２センサから、窓の内側表面に反射した光ビームの強度の測定値である測定値を受信しうる。次いで測定に関して、プロセッサユニットは、強度が既定の閾値を下回っている場合、例えば、強度が内側表面上の曇りを表す少なくとも一定の割合減少する場合に、窓の内側表面上の曇りを検出しうる。
【００２５】
プロセッサユニット１２２は、例えば第１結果及び／又は第２結果を受信するために、第１プロセス又は第２プロセスに従って曇りが検出又は予測された場合、一又は複数の警告措置又は是正措置を実施しうる。例えば、プロセッサユニットは、航空機に搭載された一又は複数の防曇システム１３２（例えば曇り止めシステム、曇り除去システム）の自動起動を引き起こしうる。これらのシステムは、窓１２４、１２６に近接して配設され、かつ、それらの窓の内側表面上での曇りの形成を除去又は防止するために、様々な異なる種類の機構を用いうる。好適な防曇システムの例は、窓に埋設された、又は窓の表面上の、電気的に加熱された要素、或いは、窓の表面全体に空気圧（熱気）を方向付けるよう構成されたノズルを備えた送風装置を含み、いずれの事例においても、防曇システムは、露点温度を上回るまで窓の内側表面温度を上昇させ、それによって窓の内側表面上の曇りが低減又は防止されうるよう、構成される。
【００２６】
いくつかの例では、センサ１２０は複数の窓１２４、１２６にわたって分散配置されうる。これらの例では、プロセッサユニット１２２は、窓ごとに、曇りを検出又は予測し、かつ防曇システム１３２の起動を引き起こしうる。或いは、プロセッサユニットは、窓ごとに曇りを検出又は予測しうるが、窓のうちの１つの内側表面上で曇りが検出又は予測された場合、複数の窓にわたって曇りを起動しうる。追加的又は代替的には、窓のうちの一又は複数は、誤検出又は誤予測を回避するように、冗長センサを含みうる。いくつかの例では、いかなる事例においても、プロセッサユニットは、第１センサ１２０ａの過半数、第２センサ１２０ｂの過半数、又は、第１センサと第２センサとの集合の過半数といった、センサの過半数からの測定値により曇りが検出又は予測された場合にのみ、防曇システムの自動起動を引き起こしうる。
【００２７】
図３は、本開示の例示的な一実行形態による、方法３００における様々な操作を含むフロー図を示している。図示しているように、方法は、航空機１００のようなビークルの動作中にリアルタイムで継続的に実施される、いくつかの操作を含みうる。
【００２８】
方法３００は、ブロック３１０に示すように、プロセスに従い、一又は複数のセンサ１２０を使用して、窓１２４、１２６の内側表面上の曇りを検出又は予測することを含みうる。また方法は、ブロック３２０に示すように、プロセスに従って曇りが検出又は予測された場合、或いは、いくつかの例では、センサ（複数可）の過半数からの測定値により曇りが検出又は予測された場合にのみ、窓の内側表面上の曇りを低減又は防止するために、防曇システム１３２を自動的に起動することを含みうる。
【００２９】
センサ１２０の各々に関して、プロセスは、ブロック３０２に示すように、センサからの測定値を受信することを含みうる。測定値に関して、プロセスは、ブロック３０４に示すように、航空機１００の外部に面した窓１２４、１２６を含む航空機１００（ビークル）のコックピット１０２（コンパートメント）内の、露点温度を特定又は計算することを含みうる。いくつかの例では、方法は更に、ブロック３０６に示すように、航空機の外部の全大気温度、及び航空機のスピードの関数として、窓の内側表面の表面温度を計算することを含みうる。一例においては、以下のように、全温度（Ｔｔｏｔａｌ）及びマッハ数の関数として外側表面温度（Ｔｓｕｒｆａｃｅ）が計算されうる。
Ｔｓｕｒｆａｃｅ＝ｆ［Ｔｔｏｔａｌ／（１＋０．２×Ｍａｃｈ）］
前記式では、Ｔｔｏｔａｌは全大気温度を表し、Ｍａｃｈは航空機のスピードに対するマッハ数相関を表している。いくつかの例では、表面温度は、防曇システム１３２が起動される時以前の窓が加熱されていない状態では、窓１２４、１２６の内側表面及び外側表面上の温度と同一であると想定されうる。上記の例、及び他の表記的な例において、温度は摂氏度で表示されうるが、温度は同様に、他の適切な単位で表示及び計算されうる。
【００３０】
センサが温度センサであるいくつかの例では、温度センサからの測定値は、温度センサからのコックピット１０２内の周囲温度でありうる。これらの例では、プロセスは更に、相対湿度センサから、コックピット内の相対湿度の測定値を受信することを含みうる。露点温度は次いで、コックピットの中の周囲温度及び相対湿度の関数として計算されうる。より表記的には、例えば、露点温度（Ｔｄｅｗ−ｐｏｉｎｔ）は次の式で計算されうる。
Ｔｄｅｗ−ｐｏｉｎｔ＝ＲＨ０．１２５×（１１２＋０．９×Ｔｃｏｃｋｐｉｔ）＋（０．１×Ｔｃｏｃｋｐｉｔ）-１１２
前記式では、ＲＨは相対湿度の割合を表し、Ｔｃｏｃｋｐｉｔは摂氏度での周囲温度を表している。また、いくつかのより単純化された更なる例では、露点温度の数値は次の式で計算されうる。
Ｔｄｅｗ−ｐｏｉｎｔ＝（１００-ＲＨ）／５（ここで、Ｔｄｅｗ−ｐｏｉｎｔは摂氏度である。）
【００３１】
方法は、ブロック３０８、３１０に示すように、露点温度（例えばＴｄｅｗ−ｐｏｉｎｔ）が、窓の内側表面の表面温度（例えばＴｓｕｒｆａｃｅ）に近いか、同じか、又はそれを上回る場合、窓の内側表面上の曇りを検出又は予測することを含みうる。
【００３２】
いくつかの例では、前述のプロセスは第１プロセスであってよく、センサ（複数可）１２０は第１センサ（複数可）１２０ａでありうるか、又は第１センサ（複数可）１２０ａを含みうる。代替的には、第１プロセスを実施することは、第１結果を取得するために、第１センサからの測定値を受信及び／又は処理することであると、特徴付けられうる。第１結果は次いで、露点温度のようなあるデータを特定及び／又は計算するために、及び、曇りの存在を検出又は予測するために、使用されうる。これらの例では、方法は更に、ブロック３１６に示すように、第２プロセスに従い、一又は複数の第２センサ１２０ｂを使用して、窓の内側表面上の曇りを検出することを含みうる。第１プロセスを実施することについての前述の特徴付けと同様に、第２プロセスを実施することは、第２結果を取得するために、第２センサからの測定値を受信及び／又は処理することであると、特徴付けられうる。第２結果は次いで、窓の内側表面に反射した光ビームの強度のようなあるデータを特定及び／又は計算するために、使用されうる。第２結果は次いで、曇りの存在を検出又は予測するために使用されうる。第２センサの各々に関して、このプロセスは、ブロック３１２に示すように、第２センサから、窓の内側表面に反射した光ビームの強度の測定値である測定値を受信することを含みうる。プロセスは次いで、ブロック３１４、３１６に示すように、強度が既定の閾値を下回る場合、窓の内側表面上の曇りを検出することを含みうる。
【００３３】
防曇システム１３２は、ブロック３２０に示すように、第１プロセス又は第２プロセスに従って曇りが検出又は予測された場合、自動的に起動されうる。或いは、いくつかの更なる例では、防曇システムは、ブロック３１８、３２０に示すように、第１センサ（複数可）と第２センサ（複数可）との集合の過半数からの測定値により、曇りが検出又は予測された場合にのみ、自動的に起動されうる。
【００３４】
防曇システム１３２は、窓１２４、１２６の内側表面上の曇りを低減又は防止するために起動されてよく、停止されるまで起動状態を保ちうる。いくつかの例では、防曇システムが、窓を曇りのない状態にし、かつ／又は、窓の表面温度を曇りがもはや予測されなくなる温度にするのに十分であると決定された何らかの時点の後に、防曇システムは停止されてよく、それによって、防曇システムに必要なエネルギー使用が最適化されうる。いくつかの例では、センサからの測定値が、第１プロセス及び／又は第２プロセスに従って窓の内側表面上の曇り又は曇りの予測をもはや示さなくなるまで、又は、測定値が最後に曇りを示した、又は予測した後一定の期間（例えば５分間）にわたり、防曇システムは起動状態を保ちうる。
【００３５】
図４は、いくつかの例により、プロセッサユニット１２２を少なくとも部分的に実装するよう構成されうる、装置４００を示している。概して、本開示の例示的な実行形態の装置は、一又は複数の固定された、携帯可能な、又は埋め込み型の電子デバイスを備えるか、含むか、又はかかる電子デバイスにおいて具現化されうる。装置は、例えばメモリ４０４に接続されたハードウェア及びソフトウェアを含むプロセッサ４０２のような、いくつかの構成要素の各々のうちの一又は複数を含みうる。
【００３６】
プロセッサ４０２は概して、例えば、データ、コンピュータ可読プログラムコード、指令など（例えばソフトウェア、ファームウェアなど、概して「コンピュータプログラム」と称されることがある）といった情報、及び／又は、他の好適な電子情報を処理することが可能な、任意のコンピュータハードウェアである。プロセッサは、電子回路の集合体で構成され、かかる電子回路の一部は、一集積回路又は複数の相互接続集積回路としてパッケージされうる（集積回路はより一般的には「チップ」と称されることがある）。プロセッサは、コンピュータプログラムを実行するよう設定されてよく、コンピュータプログラムは、プロセッサに搭載された状態で記憶されうるか、そうでなければ（同じ又は別の装置の）メモリ４０４に記憶されうる。
【００３７】
プロセッサ４０２は、特定の実行形態に応じて、いくつかのプロセッサ、マルチプロセッサコア、又は他の何らかの種類のプロセッサでありうる。更に、プロセッサは、単一のチップ上に一又は複数の二次プロセッサと共に主要プロセッサが存在する、いくつかのヘテロジニアスプロセッサシステムを使用して、実装されうる。別の実施例としては、プロセッサは、同一の種類の複数のプロセッサを包含する対称型マルチプロセッサシステムでありうる。さらに別の例では、プロセッサは、一又は複数の特定用途向け集積回路（ＡＳＩＣ）、フィールドプログラマブルゲートアレイ（ＦＰＧＡ）などとして具現化されうるか、そうでなければ、それらを含みうる。ゆえに、プロセッサは一又は複数の機能を実施するためのコンピュータプログラムを実行することが可能でありうるが、プロセッサの様々な例は、コンピュータプログラムの支援がなくとも、一又は複数の機能を実施することが可能でありうる。
【００３８】
メモリ４０４は概して、一時的及び／又は恒久的に、例えばデータ、コンピュータプログラム（例えばコンピュータ可読プログラムコード４０６）、及び／又は、他の好適な情報といった情報を記憶することが可能な、任意のコンピュータハードウェアである。メモリは、揮発性及び／又は不揮発性のメモリを含んでよく、かつ、固定的又は取り外し可能でありうる。好適なメモリの例は、ランダムアクセスメモリ（ＲＡＭ）、読出し専用メモリ（ＲＯＭ）、ハードドライブ、フラッシュメモリ、サムドライブ、取り外し可能コンピュータディスケット、光ディスク、磁気テープ、又はそれらの何らかの組み合わせを含む。光ディスクは、コンパクトディスク−読出し専用メモリ（ＣＤ−ＲＯＭ）、コンパクトディスク−読出し／書込み（ＣＤ−Ｒ／Ｗ）、デジタル多目的ディスク（ＤＶＤ）、又は他の標準的な媒体及びフォーマットを含みうる。様々な事例において、メモリはコンピュータ可読記憶媒体と称されることがあり、それは、情報を記憶することが可能な非一過性デバイスとして、ある場所から別の場所へと情報を運ぶことが可能な一過性の電気信号などのコンピュータ可読伝送媒体とは区別可能でありうる。本書で説明されているコンピュータ可読媒体とは、概して、コンピュータ可読記憶媒体又はコンピュータ可読伝送媒体を表しうる。
【００３９】
プロセッサ４０２は、メモリ４０４に加えて、情報を表示し、送信し、かつ／又は受信するための一又は複数のインターフェースにも接続されうる。インターフェースは、通信インターフェース４０８（例えば通信ユニット）を含みうる。通信インターフェースは、例えば他の装置（複数可）やネットワーク（複数可）などへ、及び／又はそれらから、情報を送信及び／又は受信するよう設定されうる。通信インターフェースは、物理的な（有線の）及び／又は無線の通信リンクによって、情報を送信及び／又は受信するよう設定されうる。好適な通信インターフェースの例は、ネットワークインターフェースコントローラ（ＮＩＣ）、無線ＮＩＣ（ＷＮＩＣ）などを含む。
【００４０】
上記のように、プログラムコード指令は、本書で説明されているシステム、サブシステム及びそれらの各要素の機能を実装するために、メモリに記憶され、プロセッサによって実行されうる。理解されるように、任意の好適なプログラムコード指令が、特定の機器を作製するために、コンピュータ可読記憶媒体からハードウェア及びソフトウェア又は他のプログラマブル装置を含むコンピュータに読み込まれてよく、それにより、その特定の機器が、本書で特定される機能を実装する手段となる。これらのプログラムコード指令はまた、コンピュータ、プロセッサ、又は他のプログラマブル装置に特定の様態で機能することを命じ、それによって、特定の機器又は特定の製造品を生成することが可能な、コンピュータ可読記憶媒体に記憶されうる。コンピュータ可読記憶媒体に記憶された指令は、製造品を作製することが可能であり、その製造品が、本書で説明されている機能を実装するための手段となる。プログラムコード指令は、コンピュータ、プロセッサ又は他のプログラマブル装置上で、又はそれらによって実施されるべき動作を実行するようコンピュータ、プロセッサ又は他のプログラマブル装置を設定するために、コンピュータ可読記憶媒体から読み出され、コンピュータ、プロセッサ又は他のプログラマブル装置に読み込まれうる。
【００４１】
一度に１つの指令が読み出され、読み込まれ、かつ実行されるように、プログラムコード指令の読み出し、読み込み及び実行は、連続的に実施されうる。いくつかの例示的な実行形態では、複数の指令をまとめて読み出し、読み込み、かつ／又は実行するように、読み出し、読み込み、及び／又は実行は、並行して実施されうる。コンピュータ、プロセッサ、又は他のプログラマブル装置によって実行される指令が、本書で説明されている機能を実装するための動作を提供するように、プログラムコード指令の実行により、コンピュータ実装プロセスが生成されうる。
【００４２】
プロセッサによる指令の実行、又は、コンピュータ可読記憶媒体における指令の記憶により、特定の機能を実施するための動作の組み合わせがサポートされる。この様態では装置４００は、プロセッサ４０２と、プロセッサに結合されたコンピュータ可読記憶媒体又はメモリ４０４とを含んでよく、プロセッサは、メモリ記憶されたコンピュータ可読プログラムコード４０６を実行するよう設定される。一又は複数の機能、及び機能の組み合わせは、特殊用途ハードウェアに基づくコンピュータシステム、及び／又は、特定の機能を実施するプロセッサ、或いは、特殊用途ハードウェアとプログラムコード指令との組み合わせによって実装されうることも、理解されよう。
【００４３】
更に、本開示は下記の条項による実施形態を含む。
【００４４】
条項１．ビークルのコンパートメントの窓の内側表面上の曇りを検出又は予測するための装置であって、
プロセッサと、
プロセッサに結合された少なくとも１つの第１センサと、
防曇システムと、
プロセッサに結合され、かつ、コンピュータ可読プログラムコードを記憶しているコンピュータ可読記憶媒体とを備え、コンピュータ可読プログラムコードは、プロセッサによる実行に応答して、ビークルの動作中にリアルタイムで、装置に、
第１センサから少なくとも１つの測定値を受信させ、かつ、測定値から、窓を含むビークルのコンパートメント内の露点温度を特定又は計算させ、
窓の内側表面の少なくとも一部分の表面温度を計算させ、
露点温度が窓の内側表面の表面温度と同じか、それに近いか、又はそれを上回る場合には、窓の内側表面上の曇りを検出又は予測させ、
曇りが検出又は予測された場合には、窓の内側表面の前記部分上の曇りを低減又は防止するために、防曇システムを自動的に起動させる、装置。
【００４５】
条項２．一又は複数の第１センサは、温度センサ及び相対湿度センサを含み、
装置に第１センサから少なくとも１つの測定値を受信させることは、装置に、温度センサからコンパートメント内の周囲温度を受信させ、かつ、相対湿度センサからコンパートメント内の相対湿度を受信させることを含み、
装置に露点温度を特定又は計算させることは、装置に、コンパートメントの中の周囲温度及び相対湿度の関数として露点温度を計算させることを含み、
装置に表面温度を計算させることは、装置に、ビークルの外部の全大気温度及びビークルのスピードの関数として表面温度を計算させることを含む、条項１に記載の装置。
【００４６】
条項３．装置は少なくとも２つの第１センサを備え、
装置に第１センサから少なくとも１つの測定値を受信させることは、装置に、第１センサの各々から少なくとも１つの測定値を受信させることを含み、
装置に防曇システムを自動的に起動させることは、一又は複数の第１センサの過半数からの測定値により曇りが検出又は予測された場合にのみ、装置に防曇システムを自動的に起動させることを含む、条項１又は２に記載の装置。
【００４７】
条項４．コンピュータ可読プログラムコードは更に、装置に、
一又は複数の第２センサから、窓の内側表面に反射した光ビームの強度の測定値である、少なくとも１つの測定値を受信させ、
強度が既定の閾値を下回る場合には、窓の内側表面上の曇りを検出させ、
装置に防曇システムを自動的に起動させることは、一又は複数の第１センサの測定値、又は、一又は複数の第２センサの測定値により曇りが検出又は予測された場合に、装置に防曇システムを自動的に起動させることを含む、条項１から３のいずれか一項に記載の装置。
【００４８】
条項５．装置に防曇システムを自動的に起動させることは、一又は複数の第１センサと一又は複数の第２センサとの集合の過半数からの測定値により曇りが検出された場合にのみ、装置に防曇システムを自動的に起動させることを含む、条項４に記載の装置。
【００４９】
条項６．ビークルのコンパートメントの窓の内側表面上の曇りを検出又は予測する方法であって、
第１結果を取得するために、少なくとも１つの第１センサから測定値を受信することと、
第１結果から、窓の内側表面を含むビークルのコンパートメント内の露点温度を特定又は計算することと、
窓の内側表面の少なくとも一部分の表面温度を計算することと、
露点温度が表面温度と同じか、それに近いか、又はそれを上回る場合には、第１結果から窓の内側表面上の曇りを検出又は予測することと、
曇りが検出又は予測された場合、窓の内側表面の前記部分上の曇りを低減又は防止するために、防曇システムを自動的に起動することとを含む、方法。
【００５０】
条項７．少なくとも１つの第１センサから測定値を受信することは、第１結果を取得するために、少なくとも２つのセンサから測定値を受信することを含み、センサは、温度センサ及び相対湿度センサを含み、
測定値を受信することは、温度センサからコンパートメント内の周囲温度の測定値を受信すること、及び、相対湿度センサからコンパートメント内の相対湿度の測定値を受信することを含み、第１結果は、周囲温度と相対湿度との組み合わせであり、
露点温度を特定又は計算することは、コンパートメントの中の周囲温度及び相対湿度の関数として、第１結果に基づいて露点温度を計算することを含み、
表面温度を計算することは、ビークルの外部の全大気温度及びビークルのスピードの関数としての表面温度の計算を含む、条項６に記載の方法。
【００５１】
条項８．第１結果を取得するために少なくとも１つのセンサから測定値を受信することは、少なくとも２つのセンサから測定値を受信することを含み、
防曇システムを自動的に起動することは、第１結果を取得するために使用されるセンサの過半数からの測定値により曇りが検出又は予測された場合にのみ、防曇システムを自動的に起動することを含む、条項６又は７に記載の方法。
【００５２】
条項９．更に、
窓の内側表面に反射した光ビームの強度を含む第２結果を取得するために、少なくとも１つの第２センサから測定値を受信することと、
強度が既定の閾値を下回る場合には、第２結果から、窓の内側表面上の曇りを検出又は予測することとを含み、
防曇システムを自動的に起動することは、第１結果又は第２結果により曇りが検出又は予測された場合には、防曇システムを自動的に起動することを含む、条項６から８のいずれか一項に記載の方法。
【００５３】
条項１０．防曇システムを自動的に起動することは、一又は複数の第１センサと一又は複数の第２センサとの集合の過半数から取得された結果からの測定値により曇りが検出又は予測された場合にのみ、防曇システムを自動的に起動することを含む、条項９に記載の方法。
【００５４】
条項１１．ビークルのコンパートメントの窓上の曇りを検出するためのコンピュータ可読記憶媒体であって、コンピュータ可読記憶媒体は、非一過性であり、かつ、コンピュータ可読プログラムコードを記憶しており、コンピュータ可読プログラムコードは、プロセッサによる実行に応答して、ビークルの動作中にリアルタイムで、装置に、
一又は複数の第１センサから少なくとも１つの測定値を受信させ、かつ、測定値から、窓を含むビークルのコンパートメント内の露点温度を特定又は計算させ、
窓の内側表面の少なくとも一部分の表面温度を計算させ、
露点温度が窓の内側表面の表面温度と同じか、それに近いか、又はそれを上回る場合には、窓の内側表面上の曇りを検出又は予測させ、
曇りが検出又は予測された場合には、窓の内側表面の前記部分上の曇りを低減又は防止するために、防曇システムを自動的に起動させる、コンピュータ可読記憶媒体。
【００５５】
条項１２．一又は複数の第１センサは、温度センサ及び相対湿度センサを含み、
装置に少なくとも１つの測定値を受信させることは、装置に、温度センサからコンパートメント内の周囲温度を受信させ、かつ、相対湿度センサからコンパートメント内の相対湿度を受信させることを含み、
装置に露点温度を特定又は計算させることは、装置に、コンパートメントの中の周囲温度及び相対湿度の関数として露点温度を計算させることを含み、
装置に表面温度を計算させることは、装置に、ビークルの外部の全大気温度及びビークルのスピードの関数として表面温度を計算させることを含む、条項１１に記載のコンピュータ可読記憶媒体。
【００５６】
条項１３．装置に一又は複数の第１センサから少なくとも１つの測定値を受信させることは、装置に、少なくとも２つの第１センサから少なくとも１つの測定値を受信させることを含み、
装置に防曇システムを自動的に起動させることは、第１センサの過半数からの測定値により曇りが検出又は予測された場合にのみ、装置に防曇システムを自動的に起動させることを含む、条項１１又は１２に記載のコンピュータ可読記憶媒体。
【００５７】
条項１４．装置は更に、
一又は複数の第２センサであって、第２センサのうちの少なくとも１つは窓の内側表面に反射した光ビームの強度を測定するよう動作可能である一又は複数の第２センサから、少なくとも１つの測定値を受信し、かつ、
強度が既定の閾値を下回る場合には、窓の内側表面上の曇りを検出するようにされ、
装置に防曇システムを自動的に起動させることは、一又は複数の第１センサの測定値、又は、一又は複数の第２センサの測定値により曇りが予測又は検出された場合には、装置に防曇システムを自動的に起動させることを含む、条項１１から１３のいずれか一項に記載のコンピュータ可読記憶媒体。
【００５８】
条項１５．装置に防曇システムを自動的に起動させることは、一又は複数の第１センサと一又は複数の第２センサとの集合の過半数からの測定値により曇りが予測又は検出された場合には、装置に防曇システムを自動的に起動させることを含む、条項１４に記載のコンピュータ可読記憶媒体。
【００５９】
本書に明記された本開示の多数の修正例及び他の実行形態が、上述の説明及び関連図面に提示された教示の恩恵を有する、これらの開示に関わる当業者には、想起されよう。従って、本開示は開示された特定の実行形態に限定されるものではなく、修正例及び他の実行形態は、付随する特許請求の範囲に含まれることが意図されていると理解されたい。更に、上述の説明及び関連図面は、要素及び／又は機能のある例示的な組み合わせに照らして例示的な実行形態を説明しているが、要素及び／又は機能の種々の組み合わせが、付随する特許請求の範囲から逸脱せずに、代替的な実行形態によって提供されうることを、認識すべきである。これに関しては、付随する請求項のうちのいくつかに明記されうるように、例えば、上記で明示的に説明されたものとは異なる要素及び／又は機能の組み合わせも想定される。本書では特定の用語が用いられているが、それらは、一般的な、及び説明的な意味でのみ使用されており、限定を目的とするものではない。
【図１Ａ】
2016113148.tif 000003
【図１Ｂ】
2016113148.tif 000004
【図２】
2016113148.tif 000005
【図３】
2016113148.tif 000006
【図４】
2016113148.tif 000007
【外国語明細書】
2016113148000001.pdf
2016113148000002.pdf
2016113148000003.pdf
2016113148000004.pdf